(57)【要約】  【課題】  電子ディスプレイの前面に設置することで不要な外光を除去し、電子ディスプレイのコントラストを向上させる電子ディスプレイ用フィルターを提供すること。  【解決手段】  電子ディスプレイ１１の前面に設置する電子ディスプレイ用フィルター１０であって、波長５３０ｎｍ〜６００ｎｍに透過率の極小値Ｋを持ち、かつ設置対象とする電子ディスプレイ１１の発光スペクトルを使用した視感透過率Ｙ１が普通形蛍光灯Ｆ６の発光スペクトル（ＪＩＳ  Ｚ８７１９−１９９６）を使用した視感透過率Ｙ２よりも高いことを特徴とする。【選択図】  図１
2005165339.tif 000002
【特許請求の範囲】
【請求項１】
電子ディスプレイの前面に設置する電子ディスプレイ用フィルターであって、
波長５３０ｎｍ〜６００ｎｍに透過率の極小値を持ち、かつ設置対象とする電子ディスプレイの発光スペクトルを使用した視感透過率Ｙ１が普通形蛍光灯Ｆ６の発光スペクトル（ＪＩＳ  Ｚ８７１９−１９９６）を使用した場合の視感透過率Ｙ２よりも高いことを特徴とする電子ディスプレイ用フィルター。
【請求項２】
前記視感透過率Ｙ１及びＹ２の関係が、下記（１）式、
Ｃ＝（Ｙ１）／（Ｙ２）2………（１）
で表されるフィルターコントラスト値Ｃを２．４以上とすることを特徴とする請求項１に記載の電子ディスプレイ用フィルター。
【請求項３】
波長５３０ｎｍ〜６００ｎｍに透過率の極小値を持ち、かつ設置対象とする電子ディスプレイの発光スペクトルを使用した視感透過率Ｙ１が３波長域発光形蛍光灯Ｆ１０の発光スペクトル（ＪＩＳ  Ｚ８７１９−１９９６）を使用した場合の視感透過率Ｙ３よりも高いことを特徴とする電子ディスプレイ用フィルター。
【請求項４】
前記フィルターが５３０ｎｍ〜６００ｎｍの波長域に最大吸収を有する化合物を含有することによって、５３０ｎｍ〜６００ｎｍの波長域に透過率の極小値を持たせることを特徴とする請求項１〜請求項３のいずれか１項に記載の電子ディスプレイ用フィルター。
【請求項５】
前記５３０ｎｍ〜６００ｎｍの波長域に最大吸収を有する前記化合物が下記一般式(I)で表されるスクアリリウム系化合物及び／又は下記一般式（II）で表されるテトラアザポルフィリン系化合物であることを特徴とする請求項４のいずれかに記載の電子ディスプレイ用フィルター。
【化１】
2005165339.tif 000017
〔式(I)中、Ｒ1は、置換基を有していてもよいアルキル基、置換基を有していてもよいアルコキシ基、置換基を有していても良いアリール基、置換基を有していてもよいアリオールオキシ基、又はハロゲン原子を示す。ここで、隣接するＲ1が一緒になって、アルカンジイル基やアルキレンジオキシ基を形成していても良い。
Ｒ2は、水素原子、又は1価の置換基を示し、Ｇ１は、−ＮＲ3−で表される基(ここで、Ｒ３は、水素原子、又はアルキル基を示す。)、又は酸素原子を示し、Ｇ２は、カルボニル基、又はスルホニル基を示す（ここで、Ｇ２がスルホニル基の場合には、Ｒ2は水素原子ではない。)。
ｍ、ｎ及びｐは０以上の整数であり、ｍ＋ｎ＋ｐは５以下である。
ただし、ベンゼン環上のこれらの置換基は、他方のベンゼン環との間で互いに異なっていてもよく、また、一方のベンゼン環において、ｍ及びｎが２以上であるとき、Ｒ1、及びＧ1−Ｇ2−Ｒ2で表される基は、同一環内の他の置換基との間で互いに異なっていてもよい。〕
【化２】
2005165339.tif 000018
〔式（II）中、Ｒ1〜Ｒ8は、各々独立に、水素原子、ハロゲン原子、ニトロ基、シアノ基、ヒドロキシ基、アミノ基、置換基を有していても良いアルキル基、置換基を有していても良いシクロアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を表し、Ｒ1とＲ2、Ｒ3とＲ4、Ｒ5とＲ6、Ｒ7とＲ8は各々連結して非芳香環を形成しても良く、Ｍは、２個の水素原子、２価の金属原子、３価の１置換金属原子、４価２置換金属原子、又は、オキシ金属原子を表す。〕
【請求項６】
物体色がナチュラルグレー或いはナチュラルブルーであることを特徴とする請求項１〜請求項５のいずれかに記載の電子ディスプレイ用フィルター。
【請求項７】
反射防止層を備えていることを特徴とする請求項１〜請求項６のいずれかに記載の電子ディスプレイ用フィルター。
【請求項８】
近赤外線カット層を備えていることを特徴とする請求項１〜請求項７のいずれかに記載の電子ディスプレイ用フィルター。
【請求項９】
電磁波カット層を備えていることを特徴とする請求項１〜請求項８のいずれかに記載の電子ディスプレイ用フィルター。
【請求項１０】
電子ディスプレイに直接貼り付けられることを特徴とする請求項１〜請求項９のいずれかに記載の電子ディスプレイ用フィルター。
【請求項１１】
プラズマディスプレイ装置用フィルターであることを特徴とする請求項１〜請求項１０のいずれかに記載の電子ディスプレイ用フィルター。
【請求項１２】
請求項１〜請求項１１のいずれかに記載の電子ディスプレイ用フィルターを用いたプラズマディスプレイ装置。
【発明の詳細な説明】
【技術分野】
【０００１】
本発明は電子ディスプレイ用フィルターに関し、更に詳細には電子ディスプレイの前面に設け、電子ディスプレイの発光強度をあまり弱めず、外光を低減することにより電子ディスプレイのコントラストを向上できる電子ディスプレイ用フィルターに関する。
【背景技術】
【０００２】
近年、大型の壁掛けテレビをはじめ種々の電子機器の表示パネルとしてプラズマディスプレイパネルが使用され、その需要が増大し、今後もその数は益々増加するものと考えられる。
【０００３】
プラズマディスプレイ等の特に蛍光体を使用する電子ディスプレイでは、当該ディスプレイ表面の反射率が大きいため、電子ディスプレイ表面で反射した外光が表示の黒部分を白っぽくしてしまい、良好なコントラストが得られない。そこで、この不要な外光の反射成分を除去するために電子ディスプレイの前面にフィルターが設けられている（例えば特許文献１参照）。
【０００４】
【特許文献１】特開平７−２８１００５号公報
【発明の開示】
【発明が解決しようとする課題】
【０００５】
しかしながら、不要な外光の反射成分を除去する機能を持たせた従来のこの種のフィルターは、もっぱら透過率を低下させることにより不要な外光を吸収、カットする構造であるため、同時に電子ディスプレイの発光もカットしてしまうことになる。そのためコントラスト向上の効果が低く、また電子ディスプレイの発光輝度も低下させてしまうという問題があった。
【０００６】
本発明の目的は、かかる従来の問題点を解決するためになされたもので、電子ディスプレイの前面に設置することで不要な外光を除去し、電子ディスプレイのコントラストを向上させる電子ディスプレイ用フィルターを提供することにあり、本発明者等は種々検討を重ね、透過率の特定の波長分布により、上記目的が達成されることを見出した。
【課題を解決するための手段】
【０００７】
本発明は電子ディスプレイ用フィルターであり、前述した技術的課題を解決するために以下のように構成されている。すなわち、本発明は、電子ディスプレイの前面に設置する電子ディスプレイ用フィルターであって、波長５３０ｎｍ〜６００ｎｍに透過率の極小値を持ち、かつ設置対象とする電子ディスプレイの発光スペクトルを使用した視感透過率Ｙ１が普通形蛍光灯Ｆ６の発光スペクトル（ＪＩＳ  Ｚ８７１９−１９９６）を使用した視感透過率Ｙ２よりも高いことを特徴とする。
【０００８】
また、本発明は電子ディスプレイ用フィルターであり、前述した技術的課題を解決するために以下のように構成されている。すなわち、本発明は、電子ディスプレイの前面に設置する電子ディスプレイ用フィルターであって、波長５３０ｎｍ〜６００ｎｍに透過率の極小値を持ち、かつ設置対象とする電子ディスプレイの発光スペクトルを使用した視感透過率Ｙ１が３波長域発光形蛍光灯Ｆ１０の発光スペクトル（ＪＩＳ  Ｚ８７１９−１９９６）を使用した視感透過率Ｙ３よりも高いことを特徴とする。
【０００９】
〈本発明における具体的構成〉
本発明の電子ディスプレイ用フィルターは、前述した必須の構成要素からなるが、さらに以下条件を満たすことが好ましい。具体的には、視感透過率Ｙ１及びＹ２の関係が、下記（１）式、
Ｃ＝（Ｙ１）／（Ｙ２）2………（１）
で表されるフィルターコントラスト値Ｃで２．４以上とすることである。
【００１０】
また、本発明の電子ディスプレイ用フィルターでは、５３０ｎｍ〜６００ｎｍの波長域に最大吸収を有する化合物を含有することによって、５３０ｎｍ〜６００ｎｍの波長域に透過率の極小値を持たせることを特徴としている。
【００１１】
更に、本発明の電子ディスプレイ用フィルターでは、５３０ｎｍ〜６００ｎｍの波長域に最大吸収を有する前記化合物が下記一般式(I)で表されるスクアリリウム系化合物及び／又は下記一般式（II）で表されるテトラアザポルフィリン系化合物であることを特徴とする
【化３】
2005165339.tif 000003
〔式(I)中、Ｒ1は、置換基を有していてもよいアルキル基、置換基を有していてもよいアルコキシ基、置換基を有していても良いアリール基、置換基を有していてもよいアリオールオキシ基、又はハロゲン原子を示す。ここで、隣接するＲ1が一緒になって、アルカンジイル基やアルキレンジオキシ基を形成していても良い。
Ｒ2は、水素原子、又は1価の置換基を示し、Ｇ１は、−ＮＲ3−で表される基(ここで、Ｒ３は、水素原子、又はアルキル基を示す。)、又は酸素原子を示し、Ｇ２は、カルボニル基、又はスルホニル基を示す（ここで、Ｇ２がスルホニル基の場合には、Ｒ2は水素原子ではない。)。
ｍ、ｎ及びｐは０以上の整数であり、ｍ＋ｎ＋ｐは５以下である。
ただし、ベンゼン環上のこれらの置換基は、他方のベンゼン環との間で互いに異なっていてもよく、また、一方のベンゼン環において、ｍ及びｎが２以上であるとき、Ｒ1、及びＧ1−Ｇ2−Ｒ2で表される基は、同一環内の他の置換基との間で互いに異なっていてもよい。〕
【化４】
2005165339.tif 000004
〔式（II）中、Ｒ1〜Ｒ8は、各々独立に、水素原子、ハロゲン原子、ニトロ基、シアノ基、ヒドロキシ基、アミノ基、置換基を有していても良いアルキル基、置換基を有していても良いシクロアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を表し、Ｒ1とＲ2、Ｒ3とＲ4、Ｒ5とＲ6、Ｒ7とＲ8は各々連結して非芳香環を形成しても良く、Ｍは、２個の水素原子、２価の金属原子、３価の１置換金属原子、４価２置換金属原子、又は、オキシ金属原子を表す。〕
【００１２】
更にまた、本発明の電子ディスプレイ用フィルターは、物体色がナチュラルグレーあるいはナチュラルブルーであることを特徴とする。
【００１３】
更にまた、本発明の電子ディスプレイ用フィルターには、反射防止層、近赤外線カット層、電磁波カット層の少なくとも１つが設けられていることを特徴とする。
【発明の効果】
【００１４】
このような構成により、本発明の電子ディスプレイ用フィルターによれば、５３０ｎｍ〜６００ｎｍの波長域に透過率の極小値を持つ層を有する、電子ディスプレイ用フィルターは、ディスプレイの発光を大きく低下させず、かつディスプレイの明所でのコントラストを向上させる効果に優れている。
【発明を実施するための最良の形態】
【００１５】
以下、本発明の電子ディスプレイ用フィルターを実施の形態について更に詳細に説明する。図１は本発明の電子ディスプレイ用フィルター１０を電子ディスプレイ１１の前面に配置し、電子ディスプレイの発光１２を大きく妨害することなく、電子ディスプレイ表面での外光の反射光１３を低減している状態を概念的に示す構成説明図である。
【００１６】
また、図２はプラズマディスプレイからなる電子ディスプレイの発光スペクトル（発光スペクトル１４）、普通形蛍光灯Ｆ６の発光スペクトル（発光スペクトル１５）、及び電子ディスプレイ用フィルターの透過スペクトル（透過スペクトル１６）を示す特性図であり、図４はプラズマディスプレイからなる電子ディスプレイの発光スペクトル、３波長域発光形蛍光灯Ｆ１０の発光スペクトルを示す特性図である。照明として広く使用されている蛍光灯として、ＪＩＳ  Ｚ８７１９−１９９６に記述されている普通形蛍光灯Ｆ６や、３波長域発光形蛍光灯Ｆ１０があるが、標準的な外光として普通形蛍光灯Ｆ６を位置付ける。
【００１７】
本発明の電子ディスプレイ用フィルター１０は、図１に示されるように電子ディスプレイ１１の前面に配置し、電子ディスプレイの発光１２を大きく妨害することなく、電子ディスプレイ表面での外光の反射光１３を低減する。図１から分かるように外光２３は電子ディスプレイ用フィルター１０を往復することになる。つまり電子ディスプレイ用フィルター１０によって外光２３は合計２回、弱められることになる。
【００１８】
本発明の電子ディスプレイ用フィルターは、図２に例示する透過率曲線１６の様に波長５３０ｎｍ〜６００ｎｍに透過率の極小値Ｋを持つが、これは、すなわちこの波長域の光線をカットすることを意味している。ここで「極小値」とは、例えば二次関数のグラフ等で定義されている場合と同様な意味、即ちグラフ上において減少から増加に変わる変曲点を意味し、最小値とは異なる。
【００１９】
図２に示される発光スペクトル１４から明らかなように５３０ｎｍ〜６００ｎｍの波長域はプラズマディスプレイの発光が比較的弱く、しかし発光スペクトル１５及び図４に示されるＦ１０の発光スペクトルから明らかなように不要外光としての普通形蛍光灯Ｆ６及び３波長域発光形蛍光灯Ｆ１０の発光が強い部分であり、この部分の光線をカットすることによって、プラズマディスプレイからの発光をあまり弱めずに不要な外光成分を効果的にカットすることができる。つまりディスプレイ表面での外光の反射成分を減らし、画面表示の黒部分をより黒くすることができる。これによりディスプレイのコントラストを向上することができる。
【００２０】
図３は、本発明の電子ディスプレイ用フィルターを透過した後のプラズマディスプレイの発光スペクトル（発光スペクトル１４０）、及び外光(普通形蛍光灯Ｆ６)の発光スペクトル（発光スペクトル１５０）を示すが、プラズマディスプレイ発光に比較して外光が大きく減少していることが分かる。但し、図３において外光はフィルターを２回透過させたものである。
【００２１】
すなわち、図１から明らかなように外光２３は、この電子ディスプレイ用フィルター１０を通過して不要な成分がカットされた光線１３となり、これがプラズマディスプレイ１１に反射して再びこの電子ディスプレイ用フィルター１０を通過し、その際に再度不要な成分がカットされた光線３となるのである。
【００２２】
電子ディスプレイ用フィルターの極小透過率が５３０ｎｍよりも短波長側（図２において波長５３０ｎｍより左側の波長域）にあると、この波長域には外光成分が少ないため外光カットの効果が低く、またプラズマディスプレイの緑色の発光（発光スペクトル１４におけるポイントＧ付近）を妨害(緑色を吸収)してしまうためコントラスト向上の効果が低くなり好ましくない。また、極小透過率が６００ｎｍよりも長波長側（図２において波長６００ｎｍより右側の波長域）であると、ディスプレイの赤色の発光（発光スペクトル１４におけるポイントＲ１、Ｒ２付近）を妨害(赤色を吸収)してしまうため好ましくない。
【００２３】
また、５３０ｎｍ〜６００ｎｍの波長域に極小値Ｋを有する電子ディスプレイ用フィルターの透過スペクトル１６はシャープ(急峻)なバレー型(谷型)を有する方が、ディスプレイ発光輝度の確保のため好ましい。なお、プラズマディスプレイには波長５９５ｎｍ近傍に強い発光があるため、５３０ｎｍ〜６００ｎｍの部分をカットするとこの波長域のプラズマディスプレイの発光が弱まりコントラストが低下するものの、この発光はＮｅガス発光による、プラズマディスプレイ本来の発光を妨害する成分であるため、この波長域の発光成分をカットすることが好ましい。
【００２４】
また、本発明の電子ディスプレイ用フィルターの表面に、外光の写り込みを防止する反射防止層、ぎらつき防止(アンチグレア)層を設けると、コントラスト向上の効果をより高めることができる。
【００２５】
５３０ｎｍ〜６００ｎｍの波長域に透過率の極小値Ｋを持たせるために、この波長域に吸収を有する化合物を用いる場合、その化合物の一例としては、前述した一般式(I)で表されるスクアリリウム系化合物が好ましい。好適なスクアリリウム系化合物の具体例を以下に示す。
【００２６】
【化５】
2005165339.tif 000005
【化６】
2005165339.tif 000006
【化７】
2005165339.tif 000007
【化８】
2005165339.tif 000008
【化９】
2005165339.tif 000009
【化１０】
2005165339.tif 000010
【化１１】
2005165339.tif 000011
【化１２】
2005165339.tif 000012
【化１３】
2005165339.tif 000013
【００２７】
更に、５３０ｎｍ〜６００ｎｍの波長域に透過率の極小値Ｋを持たせるために、この波長域に吸収を有する化合物を用いる場合、その化合物の他の例としては、下記の一般式（II）で表されるテトラアザポルフィリン系化合物を含有する層を有することが好ましい。
【化１４】
2005165339.tif 000014
〔式（II）中、Ｒ1〜Ｒ8は、各々独立に、水素原子、ハロゲン原子、ニトロ基、シアノ基、ヒドロキシ基、アミノ基、置換基を有していても良いアルキル基、置換基を有していても良いシクロアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を表し、Ｒ1とＲ2、Ｒ3とＲ4、Ｒ5とＲ6、Ｒ7とＲ8は各々連結して非芳香環を形成しても良く、Ｍは、２個の水素原子、２価の金属原子、３価の１置換金属原子、４価２置換金属原子、又は、オキシ金属原子を表す。〕
【００２８】
以上説明した一般式（II）のテトラアザポルフィリン系化合物の具体例を以下に示す。
【化１５】
2005165339.tif 000015
【００２９】
なお、前述したテトラアザポルフィリン系化合物は、前記一般式（II）における置換基ＭがＭｇ原子である化合物に酢酸を反応させてＭが２個の水素原子である化合物を得、また一般式（II）における置換基ＭがＭｇ原子である化合物に各種の金属塩を反応させてＭが２価の金属原子、３価１置換金属原子、４価２金属原子、又はオキシ金属原子である化合物を得る等、J. Gen. Chem. USSR, vol.47,1954〜1958(1977)に記載される方法に準じて、或いはその他の公知の方法を組み合わせることにより合成することができる。
【００３０】
本発明の電子ディスプレイ用フィルターは、前述したスクアリリウム化合物及び／又はテトラアザポルフィリン系化合物を単独又は混合して含有する。その含有形態としては、代表的には、シート状或いはフィルム状の透明基材上に、前述したスクアリリウム化合物及び／又はテトラアザポルフィリン系化合物を含有するバインダー樹脂によりスクアリリウム化合物及び／又はテトラアザポルフィリン系化合物含有樹脂層を形成させた積層体、又は前記スクアリリウム化合物及び／又はテトラアザポルフィリン系化合物を含有するバインダー樹脂そのものからなるスクアリリウム化合物及び／又はテトラアザポルフィリン系化合物含有樹脂の単層シート或いはフィルムが挙げられる。
【００３１】
また、複数のスクアリリウム化合物及び／又はテトラアザポルフィリン系化合物を含有する場合、それぞれを別々にバインダー樹脂に混入させ、スクアリリウム化合物及び／又はテトラアザポルフィリン系化合物を含有する各バインダー樹脂を積層することにより、個々の化合物が別層に存在する積層体の形態をとっても良い。
【００３２】
一方、電子ディスプレイ用フィルターの物体色は不自然に色付いていないことが好ましい。つまりナチュラルグレー或いはナチュラルブルーであることが好ましいので、不要な外光を有効にカットしながら、電子ディスプレイの青色（発光スペクトル１４におけるポイントＢ付近）や緑色（発光スペクトル１４におけるポイントＧ付近）の発光を阻害せず、かつナチュラルグレー或いはナチュラルブルーの色調であるフィルターを得るため、５３０ｎｍ〜６００ｎｍの波長域に加えて、４７０ｎｍ〜５２０ｎｍの波長域、好ましくは４８０ｎｍ〜５１０ｎｍの波長域にも透過率極小値を持たせても良い。また、この目的で３８０ｎｍ〜４２０ｎｍの波長域の透過率を低下させても良い。
【００３３】
本発明の電子ディスプレイ用フイルターは、反射防止、近赤外線吸収、電磁波吸収等、フィルターとして必要な機能を含む構成において、５３０ｎｍ〜６００ｎｍの波長域における透過率の極小値Ｋが、３０％以下、好ましくは２０％以下であり、かつ設置対象とする電子ディスプレイの発光スペクトルを使用した視感透過率Ｙ１が、普通形蛍光灯Ｆ６の発光スペクトルを使用した視感透過率Ｙ２よりも高いとコントラスト向上の効果が高い。同様に、設置対象とする電子ディスプレイの発光スペクトルを使用した視感透過率Ｙ１が、３波長域発光形蛍光灯Ｆ１０の発光スペクトルを使用した視感透過率Ｙ３よりも高いとコントラスト向上の効果が高い。
【００３４】
但し、電子ディスプレイ発光の輝度を大きく低下させないために、前記視感透過率Ｙ１が３５％以上、好ましくは４０％以上、更に好ましくは４５％以上であることが望ましい。視感透過率は、ＪＩＳ  Ｚ８１０５−１９８２に記述された、物体を透過する光束φｔと物体に入射する光束φｉとの比、φｔ／φｉであり、人の視覚系の明るさ感覚に対する相対分光応答度(分光視感効率)を考慮した上での、３８０ｎｍ〜７８０ｎｍの波長域における透過率の平均で、これは物体の相対的な明暗を示す明度とおおむね相関するため、視感透過率をフィルターの明るさ／暗さの指標としている。
【００３５】
コントラスト向上の効果をさらに高めるためには、
Ｃ＝（Ｙ１）／（Ｙ２）2       ………（１）
で表されるフィルターコントラスト値Ｃが、２．４以上、好ましくは２．７以上、更に好ましくは３．０以上であるであることが重要である。なお、式（１）における（Ｙ１）、（Ｙ２）は、％表示の数字ではなく、小数点表示の数値で計算する。
【００３６】
上述のフィルターコントラスト値Ｃとは、電子ディスプレイの発光スペクトルを使用した視感透過率Ｙ１によりディスプレイ発光の透過し易さを、普通形蛍光灯Ｆ６の発光スペクトルを使用した視感透過率Ｙ２により不要外光としての蛍光灯発光の透過し難さを示し、これらの比によって明所でのコントラストを表現するものである。なお（１）式中で普通形蛍光灯Ｆ６の発光スペクトルを使用した視感透過率Ｙ２を二乗しているのは、外光２３としての蛍光灯発光が電子ディスプレイ外部より入射時に電子ディスプレイ用フィルターを透過し、その後電子ディスプレイ表示面で反射して再びフィルターを透過、電子ディスプレイ外部へ出射して行く場合の、合計２回の透過を考慮したものである（図１参照）。
【００３７】
なお、本発明の電子ディスプレイ用フィルターの耐光性を上げるために紫外線吸収層を設けることができる。
【００３８】
さらに本発明の電子ディスプレイ用フィルターは、近赤外線カット層や電磁波カット層を設けることができる。近赤外線カット層は、プラズマディスプレイから放射される近赤外線によるリモコンや伝送系光通信における誤動作を防止する目的でディスプレイの前面に設置する。電磁波カット層は、金属酸化物等の蒸着或いはスパッタリング方法、あるいは銅箔や銅メッキ層のエッチングによるメッシュ等が利用でき、電子ディスプレイから放射される電磁波をカットする。
【００３９】
この電子ディスプレイ用フィルターは単独はもちろん透明のガラスや他の透明樹脂板等と貼り合わせた積層体として用いることができる。また、電子ディスプレイ表示面へ直接貼付される部材、透明ガラスや他の透明樹脂板などと貼り合わせた積層体として設置される部材等、複数の部材の特性を組み合わせることで、本発明を実施することもできる。本発明の電子ディスプレイ用フィルターを用いて、電子ディスプレイ、またはプラズマディスプレイパネル表示装置を得るには、表示装置として、公知の表示装置あるいは市販品であれば特に限定なく用いることができる。
【実施例】
【００４０】
以下に、本発明を実施例により更に詳細に説明するが、本発明はその要旨を越えない限り、以下の実施例に限定されるものではない。
フィルターの評価方法：
１．視感透過率（定義ＪＩＳ  Ｚ８１０５−１９８２）
島津社製分光光度計ＵＶ３１００ＰＣにより測定したフィルターの透過スペクトルを用い、ＸＹＺ表色系の三刺激値のＹを計算し、視感透過率とした。計算方法は、ＪＩＳ  Ｚ８７２２−２０００による。
なお、前述の（１）式中で使用する電子ディスプレイの発光スペクトルとして、ミノルタ社製分光輝度計で測定した富士通ゼネラル杜製プラズマディスプレイ（ＰＤＳ４２２１Ｊ−Ｈ）の発光スペクトルを使用した。
【００４１】
２．コントラストの視感評価：
前述の富士通ゼネラル社製プラズマディスプレイの前にフィルターを設置した上でディスプレイ中心部に白色を表示し、その周辺には何も表示しない(ディスプレイ発光無し)状態で、目視にてコントラストを評価した。評価は白色蛍光灯が天井に設置された部屋の中で行つた。
【００４２】
（実施例１）
ポリエチレンテレフタレート製フィルター(三菱化学ポリエステルフィルム社製ＰＥＴフィルム「Ｔ６００Ｅ」、厚み５０μｍ）に、ポリメチルメタクリレート樹脂（ダイヤナールＢＲ−８０；三菱レーヨン杜製）３０ｗｔ％トルエン溶液に前記具体例（Ｉ−２）の化合物（スクアリリウム系化合物）０．５８ｗｔ％／樹脂分、ＤＭＥ、トルエンを樹脂分１５ｗｔ％、最終の溶剤比率ＤＭＥ／トルエン＝１／１１になるように混合溶解し、ＮＯ．２０バーコーター（太祐機材社製）で塗工し、乾燥し、膜厚４．５μｍのコーティング膜を有するフィルターを得た。これをフィルターＡとする。
【００４３】
ポリエチレンテレフタレート製フィルム(三菱化学ポリエステルフィルム社製ＰＥＴフィルム「Ｔ６００Ｅ」、厚み５０μｍ）に、ポリメチルメタクリレート樹脂（ダイヤナールＢＲ−８０；三菱レーヨン杜製）３０ｗｔ％トルエン溶液にジイモニウム系近赤外線吸収色素（Ｎ，Ｎ，Ｎ'，Ｎ',−テトラキス（ｐ−ジブルチルアミノフェニル）−ｐ−フェニレンジイモニウムの六フッ化アンチモン酸塩）７．６％／樹脂分、トルエン、ＭＥＫを樹脂分１０ｗｔ％、最終の溶剤比率トルエン／ＤＭＥ＝１／１１になるように混合溶解して、Ｎ０．２０バーコーター（太祐機材社製）で塗工し、乾燥してコーティング膜を有するフィルムの裏面に、ポリメチルメタクリレート樹脂（ダイヤナール  ＢＲ−８０；三菱レーヨン社製）３０ｗｔ％トルエン溶液にジチオールニッケル錯体近赤外線吸収色素｛ビス−２，２'−[1，２−ジ（３−クロロフェニル）エチレンジイミン]ベンゼンチオラート｝ニッケル（II）９．２ｗｔ％／樹脂分、トルエン、ＴＨＦを混合溶解して同様にコーティングしたフィルターと、上記フィルターＡと、電磁波シールドメッシュ（線幅１０μｍ、線ピッチ２５０μｍ）、ガラスを貼り合わせ、更に反射防止フィルム（日本油脂製リアルック１２００）を、ＵＶ吸収剤を添加した粘着剤により貼り合わせて、電子ディスプレイ用フィルターを得た。
【００４４】
このフィルターの波長５３０ｎｍ〜６００ｎｍにおける極小透過率及びその波長位置、プラズマディスプレイの発光スペクトルを使用した視感透過率Ｙ１、普通形蛍光灯Ｆ６の発光スペクトルを使用した視感透過率Ｙ２、３波長域発光形蛍光灯Ｆ１０の発光スペクトルを使用した視感透過率Ｙ３、フィルターコントラスト値Ｃを評価した。各評価結果を表１に示す。
【００４５】
（実施例２）
前記具体例（Ｉ−２）の化合物(スクアリリウム系化合物)に代えて前記具体例（Ｉ−１）の化合物(スクアリリウム系化合物)を０．２３ｗｔ％／樹脂分だけ添加した以外は、実施例１と同様にして電子ディスプレイ用フィルターを得た。
得られたフィルターの波長５３０ｎｍ〜６００ｎｍにおける極小透過率及びその波長位置、プラズマディスプレイの発光スペクトルを使用した視感透過率Ｙ１、普通形蛍光灯Ｆ６の発光スペクトルを使用した視感透過率Ｙ２、３波長域発光形蛍光灯Ｆ１０の発光スペクトルを使用した視感透過率Ｙ３、フィルターコントラスト値Ｃを評価した。各評価結果を表１に示す。
【００４６】
（実施例３）
実施例１のスクアリリウム系化合物を０．１７ｗｔ％とし、更に、前記具体例（II−２）のテトラアザポルフィリン系化合物を０．３５ｗｔ％／樹脂分だけ添加した以外は、実施例１と同様にして電子ディスプレイ用フィルターを得た。
得られたフィルターの波長５３０ｎｍ〜６００ｎｍにおける極小透過率及びその波長位置、プラズマディスプレイの発光スペクトルを使用した視感透過率Ｙ１、普通形蛍光灯Ｆ６の発光スペクトルを使用した視感透過率Ｙ２、３波長域発光形蛍光灯Ｆ１０の発光スペクトルを使用した視感透過率Ｙ３、フィルターコントラスト値Ｃを評価した。結果は表１に示す。
【００４７】
（実施例４）
実施例１の具体例Ｉ−２の化合物（スクアリリウム化合物）に代えて前記具体例（II−２）の化合物（アザポルフィリン系化合物）を０．４４ｗｔ％添加した以外は実施例１と同様にして電子ディスプレイ用フィルターを得た。
得られたフィルターの波長５３０ｎｍ−６００ｎｍにおける極小透過率及びその波長位置、プラズマディスプレイの発光スペクトルを使用した視感透過率Ｙ１、普通形蛍光灯Ｆ６のい発光スペクトルを使用した視感透過率Ｙ２、３波長域発光形蛍光灯Ｆ１０の発光スペクトルを使用した視感透過率Ｙ３、フィルターコントラスト値Ｃを評価した。結果は表１に示す。
【００４８】
（実施例５）
前記具体例（Ｉ−２）の化合物(スクアリリウム系化合物)の添加量を０．２４ｗｔ％／樹脂分とした以外は、実施例１と同様にして電子ディスプレイ用フィルターを得た。
得られたフィルターの波長５３０ｎｍ〜６００ｎｍにおける極小透過率及びその波長位置、プラズマディスプレイの発光スペクトルを使用した視感透過率Ｙ１、普通形蛍光灯Ｆ６の発光スペクトルを使用した視感透過率Ｙ２、３波長域発光形蛍光灯Ｆ１０の発光スペクトルを使用した視感透過率Ｙ３、フィルターコントラスト値Ｃを評価した。各評価結果を表１に示す。
【００４９】
（比較例１）
前記具体例（Ｉ−２）の化合物を添加しなかったこと以外は、実施例１と同様にして電子ディスプレイ用フィルターを得た。
得られたフィルターの波長５３０ｎｍ〜６００ｎｍにおける極小透過率及びその波長位置、プラズマディスプレイの発光スペクトルを使用した視感透過率Ｙ１、普通形蛍光灯Ｆ６の発光スペクトルを使用した視感透過率Ｙ２、３波長域発光形蛍光灯Ｆ１０の発光スペクトルを使用した視感透過率Ｙ３、フィルターコントラスト値Ｃを評価した。各評価結果を表１に示す。
【００５０】
コントラストの視感評価：
実施例１、実施例２は共にコントラストが高く感じられた。比較例１はディスプレイ発光は強いが、発光していない部分に外光(室内の蛍光灯)が強く写り込むため黒が白っぽくなり、コントラストは最も低く感じられた。実施例５ではディスプレイの輝度低下が少なく、コントラストも比較例１より十分高かったが、外光の写り込みがやや強く、他の実施例よりは低く感じられた。
【００５１】
【表１】
2005165339.tif 000016
【図面の簡単な説明】
【００５２】
【図１】本発明の電子ディスプレイ用フィルターを電子ディスプレイの前面に配置し、電子ディスプレイの発光を阻害せずに、電子ディスプレイ表面での外光の反射光を低減している状態を概念的に示す構成説明図である。
【図２】プラズマディスプレイからなる電子ディスプレイの発光スペクトル及び普通形蛍光灯Ｆ６の発光スペクトル、並びに電子ディスプレイ用フィルターの透過スペクトルを示す特性図である。
【図３】本発明の電子ディスプレイ用フィルターを透過した後のプラズマディスプレイの発光スペクトル、及び外光(普通形蛍光灯Ｆ６)の発光スペクトルを示す特性図である。
【図４】プラズマディスプレイからなる電子ディスプレイの発光スペクトル、３波長域発光形蛍光灯Ｆ１０の発光スペクトルを示す特性図である。
【符号の説明】
【００５３】
３  電子ディスプレイ用フィルターを２度通過して不要な成分がカットされたた外光
１０  電子ディスプレイ用フィルター
１１  電子ディスプレイ
１２  電子ディスプレイの発光光線
１３  電子ディスプレイ用フィルターを透過した外光及びその反射光
１４  電子ディスプレイ発光の発光スペクトル
１５  普通形蛍光灯Ｆ６の発光スペクトル
１６  電子ディスプレイ用フィルターの透過スペクトル
２３  外光
１４０  電子ディスプレイ用フィルターを透過した後のプラズマディスプレイの発光スペクトル
１５０  電子ディスプレイ用フィルターを透過した後の外光(普通形蛍光灯Ｆ６)の発光スペクトル
Ｋ  極小値
Ｇ  プラズマディスプレイの緑色の発光部分
Ｒ１  プラズマディスプレイの赤色の発光部分
Ｒ２  プラズマディスプレイの赤色の発光部分
Ｂ  プラズマディスプレイの青色の発光部分
【図１】
2005165339.tif 000019
【図２】
2005165339.tif 000020
【図３】
2005165339.tif 000021
【図４】
2005165339.tif 000022